(57)【要約】【課題】不要光成分に対する分光透過率が高いカラーフィルタを用いた場合においても、緑色及び青色の色純度の低下を防止することが可能なプロジェクタを提供する【解決手段】白色ＬＥＤ110と、赤、青、緑の各色用のフィルタからなり、前記白色ＬＥＤ110から出射された白色光を受光し、各色の成分に分光する分光器22と、各色の成分に分光した光を変調して投影画像を生成する光変調装置30と、前記白色ＬＥＤ110から前記光変調装置30に達するまでの導光路の途中に配置され、前記白色光の内、青色用フィルタと緑色用フィルタの両者の分光透過率曲線において、波長領域が重なり合う領域の光成分を選択的に遮断する不要光遮断器111と、を備える【選択図】図１
2011065010.tif 000002
【特許請求の範囲】
【請求項１】
白色ＬＥＤと、
赤、青、緑の各色用のフィルタからなり、前記白色ＬＥＤから出射された白色光を受光し、各色の成分に分光する分光器と、
各色の成分に分光した光を変調して投影画像を生成する光変調装置と、
前記白色ＬＥＤから前記光変調装置に達するまでの導光路の途中に配置され、前記白色光の内、青色用フィルタと緑色用フィルタの両者の分光透過率曲線において、波長領域が重なり合う領域の光成分を選択的に遮断する不要光遮断器と、
を備えることを特徴とするプロジェクタ。
【請求項２】
前記不要光遮断器は、前記重なり合う領域の光成分を前記導光路から外れる方向に反射し、当該光成分以外の光を前記導光路に沿うように透過させる選択透過ミラーを含む
ことを特徴とする請求項１記載のプロジェクタ。
【請求項３】
前記白色ＬＥＤは、複数個からなり、
前記複数個の白色ＬＥＤを光源とし、各白色ＬＥＤから出射された白色光を出射面から出射する面状光源装置を備え、
前記不要光遮断器に含まれる選択透過ミラーは、前記出射面に対向する位置に配置され、透過させた光を前記分光器へ導く
ことを特徴とする請求項２に記載のプロジェクタ。
【請求項４】
前記選択透過ミラーによって反射された前記光成分を受光して電気エネルギーに変換する光電変換素子をさらに備える
ことを特徴とする請求項２又は３に記載のプロジェクタ。
【請求項５】
前記不要光遮断器は、前記重なり合う領域の光成分を吸収する光吸収器を複数含み、
前記複数個の白色ＬＥＤの近傍には、それぞれ前記光吸収器が配置されている
ことを特徴とする請求項３又は４に記載のプロジェクタ。
【請求項６】
前記複数個の白色ＬＥＤは、前記面状光源装置の筐体内部に配置され、
前記光吸収器は、前記面状光源装置における前記出射面を除く前記筐体の内面に配置されている
ことを特徴とする請求項５記載のプロジェクタ。
【請求項７】
前記光吸収器は、
前記重なり合う領域の光成分を選択的に透過させる選択透過フィルタと、
前記選択透過フィルタを透過した光成分を受光して電気エネルギーに変換する光電変換素子と、
から構成されることを特徴とする請求項５又は６に記載のプロジェクタ。
【請求項８】
前記白色ＬＥＤを発光させる発光手段と、
前記発光手段に給電する給電手段と、
前記光電変換素子によって変換された電気エネルギーを充電する充電手段と、
充電した電気エネルギーを前記給電手段に供給する供給手段と、
を備えることを特徴とする請求項４又は７に記載のプロジェクタ。
【請求項９】
前記重なり合う領域は、４７０ｎｍ〜５１０ｎｍの波長領域である
ことを特徴とする請求項１〜８の何れかに記載のプロジェクタ。
【発明の詳細な説明】
【技術分野】
【０００１】
本発明は、白色ＬＥＤを光源として用いたプロジェクタに関し、特に光源から発光される白色光から不要光を除去する技術に関する。
【背景技術】
【０００２】
プロジェクタは、外装ケース内に設けられた光源装置から出射された出射光を、画像情報に応じて変調して光学像を形成し、形成した光学像を拡大してスクリーンに投射する装置である。
近年、このようなプロジェクタの光源として、従来から用いられてきたキセノンランプや高圧水銀ランプ等の光源に比較して長寿命で消費電力が少ない発光ダイオード（以下、「ＬＥＤ」という。）が用いられるようになってきている。
【０００３】
又、ＬＥＤ光源としては、赤（Ｒ）、緑（Ｇ）、青（Ｂ）の３原色のＬＥＤを用いた光源と、白色ＬＥＤを用いた光源とがあるが、前者に比べ、さらに消費電力が少なくてすむ白色ＬＥＤの利用が増えている。
この白色ＬＥＤでは、例えば、青色ＬＥＤを用いて蛍光体を励起することにより、黄色光を得て、黄色光と青色ＬＥＤから発光される青色光とを混合することにより得られる擬似的白色光が、白色光として用いられる。そして、得られた白色光からカラーフィルタを用いて、投影に利用する３原色が分離される。特許文献１には、この白色ＬＥＤを光源として用いたプロジェクタが開示されている。
【先行技術文献】
【特許文献】
【０００４】
【特許文献１】特開２００７−７２２４１号公報
【発明の概要】
【発明が解決しようとする課題】
【０００５】
しかしながら、白色ＬＥＤから発光される白色光の発光スペクトルには、青色成分と緑色成分の境界となる４９０nm付近の波長領域の光が含まれている。この波長領域は、青色及び緑色用のカラーフィルタが共に分光透過率を有する波長領域（両者の分光透過率曲線において、分光透過率を有する波長領域が重なり合う波長領域）に相当するため、当該波長領域における両者のカラーフィルタの分光透過率が高い場合には、当該波長領域の光成分（以下、「不要光成分」という。）が、両者のカラーフィルタでそれぞれ分離された緑色光成分及び青色光成分に含まれてくることになり、その結果、緑色及び青色の色純度が低下するという問題が生じる。
【０００６】
本発明は、上述のような問題に鑑みて為されたものであって、不要光成分に対する分光透過率が高いカラーフィルタを用いた場合においても、緑色及び青色の色純度の低下を防止することが可能なプロジェクタを提供することを目的とする。
【課題を解決するための手段】
【０００７】
上記目的を達成するため、本発明に係るプロジェクタは、白色ＬＥＤと、赤、青、緑の各色用のフィルタからなり、前記白色ＬＥＤから出射された白色光を受光し、各色の成分に分光する分光器と、各色の成分に分光した光を変調して投影画像を生成する光変調装置と、前記白色ＬＥＤから前記光変調装置に達するまでの導光路の途中に配置され、前記白色光の内、青色用フィルタと緑色用フィルタの両者の分光透過率曲線において、波長領域が重なり合う領域の光成分を選択的に遮断する不要光遮断器と、を備える。
【０００８】
前記不要光遮断器は、前記重なり合う領域の光成分を前記導光路から外れる方向に反射し、当該光成分以外の光を前記導光路に沿うように透過させる選択透過ミラーを含むこととすることができる。
さらに、前記白色ＬＥＤは、複数個からなり、前記複数個の白色ＬＥＤを光源とし、各白色ＬＥＤから出射された白色光を出射面から出射する面状光源装置を備え、前記不要光遮断器に含まれる選択透過ミラーは、前記出射面に対向する位置に配置され、透過させた光を前記分光器へ導くこととすることができる。
【０００９】
さらに、前記不要光遮断器は、前記重なり合う領域の光成分を吸収する光吸収器を複数含み、前記複数個の白色ＬＥＤの近傍には、それぞれ前記光吸収器が配置されていることとすることができる。
さらに、前記複数個の白色ＬＥＤは、前記面状光源装置の筐体内部に配置され、
前記光吸収器は、前記面状光源装置における前記出射面を除く前記筐体の内面に配置されていることとすることができる。
【発明の効果】
【００１０】
上記構成を備えることにより、白色ＬＥＤから前記光変調装置に達するまでの導光路の途中において、白色ＬＥＤから出射された白色光の内、青色用フィルタと緑色用フィルタの両者の分光透過率曲線において、波長領域が重なり合う領域の光成分が選択的に遮断されるので、波長領域が重なり合う青色用フィルタと緑色用フィルタを用いた場合においても、当該重なり合う領域の光成分により、緑色及び青色の色純度が低下するのを有効に防止することができる。
【００１１】
ここで、前記プロジェクタは、前記選択透過ミラーによって反射された前記光成分を受光して電気エネルギーに変換する光電変換素子をさらに備えることとしてもよい。
又、前記光吸収器は、前記重なり合う領域の光成分を選択的に透過させる選択透過フィルタと、前記選択透過フィルタを透過した光成分を受光して電気エネルギーに変換する光電変換素子と、から構成されることとしてもよい。
【００１２】
又、前記プロジェクタは、前記白色ＬＥＤを発光させる発光手段と、前記発光手段に給電する給電手段と、前記光電変換素子によって変換された電気エネルギーを充電する充電手段と、充電した電気エネルギーを前記給電手段に供給する供給手段と、を備えることとしてもよい。
これにより、青色用フィルタと緑色用フィルタの両者の分光透過率曲線において、波長領域が重なり合う領域の不要光成分を光電変換して電気エネルギーとして有効活用することができる。
【図面の簡単な説明】
【００１３】
【図１】実施の形態に係るプロジェクタ１の光学構成を示す図である。
【図２】光源装置１１の構成を示す断面図である。
【図３】直下型バックライト１１０の内部を示す斜視図である。
【図４】不純物吸収層１１０２の構成を示す模式図である。
【図５】光源装置１１から出射される白色光のスペクトルと、カラーフィルタ２２の赤色（Ｒ）、緑色（Ｇ）、青色（Ｂ）の各色用フィルタの分光透過率曲線とを示す図である。
【図６】プロジェクタ１が備える、電気エネルギー回生に係る機能構成を示す機能ブロック図である。
【図７】導光板型の光源装置１２の構成を示す断面図である。
【図８】選択反射器１２０２の構成を示す断面図である。
【発明を実施するための形態】
【００１４】
(実施の形態)
以下、本発明の実施の形態に係るプロジェクタ１について説明する。図１は、実施の形態に係るプロジェクタ１の光学構成を示す図である。同図に示すように、プロジェクタ１は、白色光を出射する光源装置１１と、光源装置１１から出射された白色光を赤色（Ｒ）、緑色（Ｇ）、青色（Ｂ）の各色光に分離した後、ＤＭＤ（Digital Micromirror Device）３０に導く導光装置２０と、各色光を変調して投影画像を生成するＤＭＤ３０と、投影画像をスクリーン５０に投射する投射レンズ４０と、を備える。
【００１５】
図２は、光源装置１１の構成を示す断面図である。同図に示すように、光源装置１１は、所謂直下型バックライト１１０と、直下型バックライト１１０から出射された光（矢印Ａで示す光）の内、不要光成分（矢印Ｂで示す成分）を反射させ、不要光成分以外の光成分（矢印Ｃで示す成分）を透過させる選択反射ユニット１１１と、を備える。選択反射ユニット１１１を透過した矢印Ｃで示す成分は、導光装置２０へ導かれる。
【００１６】
直下型バックライト１１０は、筐体１１０１と、筐体１１０１の内面に配置され、当該内面を被覆する不要光吸収層１１０２と、複数の白色ＬＥＤ１１０３と、実装基板１１０４と、拡散板１１０５と、を備える。
図３は、直下型バックライト１１０の内部を示す斜視図である。同図に示すように、白色ＬＥＤ１１０３は、所定の個数単位(例えば、同図では６個単位)で実装基板１１０４に搭載され、筐体１１０１内において略行列状に配置されている。
【００１７】
白色ＬＥＤとしては、青色ＬＥＤチップ上に黄色発光蛍光体をコーティングして作成したものを用いることができる。この白色ＬＥＤでは、青色ＬＥＤから発光された青色の光が、黄色発光蛍光体（イットリウムアルミニウムガーネット（Y３Al５O12：Ce３＋）に吸収された後、黄色の光が発光されることにより、青色及び黄色の光が混ざり合って白色光が得られる。
【００１８】
白色ＬＥＤに利用できる黄色発光蛍光体としては、イットリウムアルミニウムガーネット以外に、シリケード（（Sr,Ba)2SiO4:Eu）、シオン（（Ca,Sr)Si2O2N2:Eu）、サイアロン（Ca-α-SiAｌON:Eu）、カルボニトリドシリケート（Y2Si4N6C:Ce）等があり、色純度を高めたい場合は緑色発光の蛍光体や赤色発光の蛍光体との組み合わせも考えられる。
実装基板１１０４は、白色ＬＥＤ１１０３の底面に露出した電極端子部と電気的に接続される配線パターン（不図示）を表面に有する基板であり、例えば、ガラスエポキシ基板から構成される。
【００１９】
不要光吸収層１１０２は、図３の斜線部で示すように、筐体１１０１の内面を被覆している。図４は、不純物吸収層１１０２の構成を示す模式図である。同図に示すように不要光吸収層１１０２は、白色ＬＥＤ１１０３より発光される白色光（同図の符号４１で表す矢印で示す光）の内、不要光成分（同図の符号４２で表す矢印で示す成分）を透過し、不要光成分以外の成分（同図の符号４３で表す矢印で示す成分）を反射する反射型のバンドパスフィルタ１１０２Ａと、バンドパスフィルタ１１０２Ａを透過した不要光成分の光を受光し、電気エネルギーに変換する光電変換素子１１０２Ｂとから構成される。
【００２０】
バンドパスフィルタ１１０２Ａは、特定の波長領域の光を透過し、それ以外の波長領域の光を反射する性質を有するフィルタである。バンドパスフィルタ１１０２Ａは、４９０ｎｍ付近の不要光成分が属する波長領域の光を透過する。バンドパスフィルタ１１０２Ａとしては、例えば、４７０ｎｍ〜５１０ｎｍの光を透過し、それ以外の波長領域の光を反射する性質を有するバンドパスフィルタを用いることができる。
【００２１】
バンドパスフィルタは、真空蒸着や電子ビーム共蒸着（ＥＢ）によって形成される他、コレステリック液晶を精密塗工して形成したり、多層押出しした樹脂材料の延伸フィルムを使用したり、或いは、樹脂材料を精密薄膜塗工により多層積層して形成される。蒸着によって形成されるバンドパスフィルタの多くは、ガラス基材や厚手のフィルム等の支持基材上にバンドパスフィルタ層を蒸着することによって形成される。
【００２２】
光電変換素子１１０２Ｂは、バンドパスフィルタ１１０２Ａを透過した不要光成分を含む光を受光し、受光した光を電気エネルギーに変換し、変換した電気エネルギーを後述する充電回路に供給する。光電変換素子１１０２Ｂとしては、例えば、単結晶／多結晶シリコンやアモルファスシリコン、化合物半導体、有機半導体等を用いた光電変換素子等を用いることができる。後述する光電変換素子１１１２、１２１２、１２０２Ｂについても同様である。
【００２３】
図２の説明に戻って、拡散板１１０５は、入射された白色光を拡散照射する板材であり、白色ＬＥＤ１１０３から出射された白色光の一部を透過し、一部を反射して筐体１１０１内の不要光吸収層１１０２に受光させる。これにより、複数の白色ＬＥＤ１１０３から出射される白色光が混合される。拡散板１１０５の材質としては、ガラス、透明樹脂に光拡散剤を分散させたもの等を用いることができる。
【００２４】
選択反射ユニット１１１は、ダイクロイックミラー１１１１と光電変換素子１１１２とから構成される。ダイクロイックミラー１１１１は、直下型バックライト１１０からの出射光を受光できるように、直下型バックライト１１０の出射面である拡散板１１０５に沿って配置され、直下型バックライト１１０からの出射光の内、不要光成分（図２の矢印Ｂで示す成分）を、光電変換素子１１１２の方向に反射する。
【００２５】
ダイクロイックミラーは、ガラス基板の表面にダイクロイックコート膜（例えば、ＴｉＯ2 、Ｔａ2 Ｏ5、ＺｎＯ2 、ＳｉＯ2 、ＭｇＦ2 等の屈折率の異なる複数の誘電体光学薄膜を積層して形成される膜）を被覆することにより、形成される。ダイクロイックミラーは、干渉効果によって特定の波長領域の光だけを反射させ、残りを透過させる作用を有している
選択反射ユニット１１１に用いるダイクロイックミラー１１１１としては、不要光成分を反射する性質を有するもの、例えば、４７０nm〜５１０nmの波長領域の光を反射し、当該波長領域以外の波長領域の光を透過する性質を有するものを用いることができる。
【００２６】
光電変換素子１１１２は、ダイクロイックミラー１１１１により反射された不要光成分を受光し、受光した光を電気エネルギーに変換し、変換した電気エネルギーを後述する充電回路に供給する。
このように、光源装置１１を用いることにより、白色光が導光装置２０に入射される前段階において、選択反射ユニット１１１及び不要光吸収層１１０２を介して、白色光から不要光成分を除去することができるとともに、除去した不要光成分を電気エネルギーに変換することができる。
【００２７】
図１の説明に戻って、導光装置２０は、集光レンズ２１、カラーフィルタ２２、ＴＩＲ（Total Internal Reflection）プリズム２３から構成される。集光レンズ２１は、光源装置１１から出射された光を集光して、カラーフィルタ２２に導くためのレンズである。
カラーフィルタ２２は、光源装置１１から出射された光を、赤色（Ｒ）、緑色（Ｇ）、青色（Ｂ）の各色光に分離するためのフィルタである。カラーフィルタ２２においては、各色を分離するための赤、緑、青の各色用のフィルタが等間隔で配されている。カラーフィルタ２２は、駆動モータ（不図示）により高速回転して、各色用のフィルタを切替え、出射光から時分割に各色を分離する。
【００２８】
図５は、光源装置１１の白色ＬＥＤ１１０３から発光される白色光のスペクトルと、カラーフィルタ２２の赤色（Ｒ）、緑色（Ｇ）、青色（Ｂ）の各色用フィルタの分光透過率曲線とを示す図である。同図において、符号５１は、白色光のスペクトルを示し、符号５１１は、当該スペクトルに含まれる不要光成分（４７０ｎｍ〜５１０ｎｍの波長領域の成分）を示す。又、符号５２は、青色（Ｂ）用フィルタの分光透過率曲線を、符号５３は、緑色（Ｇ）用フィルタの分光透過率曲線を、符号５４は、赤色（Ｒ）用フィルタの分光透過率曲線をそれぞれ示す。同図に示すように、白色光スペクトル５１に含まれる不要光成分５１１に対し、青色（Ｂ）用及び緑色（Ｇ）用の両フィルタは、高い分光透過率を示す。
【００２９】
ＴＩＲプリズム２３は、カラーフィルタ２２より分離された各色の光を受光すると、当該光をＤＭＤ３０の方向に全反射して、当該光をＤＭＤ３０に導く。
ＤＭＤ３０は、受光した各色光を変調して投影画像を生成する。なお、ＤＭＤの代わりに液晶パネルを入射偏光板と出射偏光板とで挟み込んだ構成のものを用いることとしてもよい。投射レンズ４０は、投影画像をスクリーン５０に投射するためのレンズである。
【００３０】
次に、プロジェクタ１が行う、光電変換素子１１０２Ｂ及び１１１２により変換された電気エネルギーを回生する動作について説明する。図６は、プロジェクタ１が備える、電気エネルギー回生に係る機能構成を示す機能ブロック図である。
充電回路１０３は、光電変換素子１１０２Ｂ及び１１１２とそれぞれ電気的に接続され、光電変換素子１１０２Ｂ及び１１１２から供給される電気エネルギーを用いて二次電池１０２を充電する。制御部１０１は、例えば、ＣＰＵなどから構成され、ＬＥＤ点灯回路１０４を駆動させて、充電された二次電池１０２から供給される電力を利用して白色ＬＥＤ１１０３を点灯させる。
【００３１】
二次電池１０２としては、例えば、リチウムイオン電池、ニッケル水素電池、
ニッケルカドミウム電池などを用いることができる。
なお、光電変換素子１１０２Ｂ及び１１１２から供給される電気エネルギーを電気二重槽コンデンサなどの蓄電装置に供給し、当該蓄電装置からＬＥＤ点灯回路１０４に電力を供給することとしてもよい。
【００３２】
以上、本発明を実施の形態に基づいて説明してきたが、本発明が上述の実施の形態に限定されないのは勿論であり、以下のような変形例を実施することができる。
（１）本実施の形態においては、光源装置として直下型バックライトを用いたが
光源装置は、直下型バックライトに限定されない。例えば、所謂導光板型のバックライトを光源装置として用いることとしてもよい。
【００３３】
図７は、導光板型の光源装置１２の構成を示す断面図である。同図に示すように、光源装置１２は、導光板型バックライト１２０と、導光板型バックライト１２０からの出射光の内、不要光成分を反射させ、不要光成分以外の光を透過させる選択反射ユニット１２１とを備える。
導光板型バックライト１２０は、白色ＬＥＤ１２０１と、白色ＬＥＤ１２０１を囲み、白色ＬＥＤ１２０１の発光する光の内、不要光成分を吸収し、不要光成分以外の光成分を反射する断面がコの字型の選択反射器１２０２と、略直方体形状の導光板１２０３と、を備える。
【００３４】
白色ＬＥＤ１２０１は、複数（図６では、そのうちの１個の白色ＬＥＤのみ図示）設けられ、各白色ＬＥＤ１２０１と選択反射器１２０２とは、導光板１２０３の外側上端面１２０３ａに対向するように配置されている。
図８は、選択反射器１２０２の構成を示す模式図である。同図に示すように、選択反射器１２０２は、白色ＬＥＤ１２０１より発光される光（同図の符号７１で表す矢印で示す光）の内、不要光成分（同図の符号７２で表す矢印で示す成分）を透過し、不要光成分以外の成分（同図の符号７３で表す矢印で示す成分）を反射する反射型のバンドパスフィルタ１２０２Ａと、バンドパスフィルタ１２０２Ａを透過した不要光成分の光を受光し、電気エネルギーに変換する光電変換素子１２０２Ｂとから構成される。
【００３５】
バンドパスフィルタ１２０２Ａの機能は、実施の形態１のバンドパスフィルタ１１０２Ａと同様であり、光電変換素子１２０２Ｂの機能は、実施の形態１の光電変換素子１１０２Ｂと同様である。各白色ＬＥＤ１２０１から出射された白色光及び選択反射器１２０２により反射された不要光成分以外の光は、導光板１２０３の外側上端面１２０３ａを介して導光板１２０３内に入射される。
【００３６】
導光板１２０３は、アクリル樹脂、ポリカーボネート等の透明材料で構成され、入射された白色光及び不要光成分以外の光が全反射されるように構成されている。
そして導光板１２０３の左外側側面１２０３ｃには、反射ドット１２０４が複数形成され、反射ドット１２０４により、入射された白色光及び不要光成分以外の光の反射方向が変更され、反射光が外側右側面１２０３ｂを介して出射されるように構成されている。なお、反射ドットの変わりに、溝を形成することとしてもよい。
【００３７】
選択反射ユニット１２１は、実施の形態１の選択反射ユニット１１１と同様に、ダイクロイックミラー１２１１と光電変換素子１２１２とから構成される。ダイクロイックミラー１２１１は、導光板型バックライト１２０からの出射光を受光できるように、導光板バックライト１２０の出射面である外側右側面１２０３ｂに沿って配置され、導光板型バックライト１２０からの出射光（図６の矢印Ａ’で示す光）の内、不要光成分（図６の矢印Ｂ’で示す成分）を、光電変換素子１２１２の方向に反射させ、不要光成分以外の光成分（矢印Ｃ’で示す成分）を透過させる。選択反射ユニット１２１を透過した矢印Ｃ’で示す成分は、導光装置２０へ導かれる。
【００３８】
なお、光源装置１２において、白色ＬＥＤ１２０１と導光板１２０３の外側上端面１２０３ａとによって挟まれる空間に、白色ＬＥＤ１２０１から外側上端面１２０３ａへ出射される白色光を受光できるようにダイクロイックミラー１２１１を配置し、当該ダイクロイックミラーにより不要光成分を、外側上端面１２０３ａから外れる方向に反射させ、当該反射光を光電変換素子１２１２で受光して電気エネルギーに変換することとしてもよい。
【００３９】
このように、光源装置１２を用いることにより、実施の形態１の光源装置１１と同様に、白色光が導光装置２０へ入射される前段階において、選択反射器１２０２及び選択反射ユニット１２１を介して、白色光から不要光成分が除去することができるとともに、除去した不要光成分を電気エネルギーに変換することができる。
（２）実施の形態１においては、不要光成分を除去し、除去した不要光成分を電気エネルギーに変換するために、光源装置１１に選択反射ユニット１１１及び不要光吸収層１１０２を設けることとしたが、選択反射ユニット１１１及び不要光吸収層１１０２の何れか一方のみを設けた場合においても上記目的を実現することができる。
【００４０】
又、（１）の変形例に係る光源装置１２においても、不要光成分を除去し、除去した不要光成分を電気エネルギーに変換するために、選択反射ユニット１２１及び選択反射器１２０２の何れか一方のみを設けることとしてもよい。
（３）本実施の形態及び（１）の変形例においては、選択反射ユニットを光源装置に設けることとしたが、選択反射ユニットを設ける位置は、光源装置に限定されず、例えば、光源装置から出射された光が、ＤＭＤ３０に達するまでの導光路上の所定の位置に設けることとしてもよい。
【産業上の利用可能性】
【００４１】
本発明は、白色ＬＥＤを光源として用いたプロジェクタに関し、特に光源から発光される白色光から不要光を除去する技術として利用できる。
【符号の説明】
【００４２】
１                                          プロジェクタ
１１、１２                                  光源装置
２０                                        導光装置
２１                                        集光レンズ
２２                                        カラーフィルタ
２３                                        ＴＩＲプリズム
３０                                        ＤＭＤ
４０                                        投射レンズ
５０                                        スクリーン
１０１                                      制御部
１０２                                      二次電池
１０３                                      充電回路
１０４                                      ＬＥＤ点灯回路
１１０                                      直下型バックライト
１１１、１２１                              選択反射ユニット
１２０                                      導光板型バックライト
１１０１                                    筐体
１１０２                                    不要光吸収層
１１０２Ａ、１２０２Ａ                      バンドパスフィルタ
１１０２Ｂ、１１１２、１２０２Ｂ、１２１２  光電変換素子
１１０３、１２０１                          白色ＬＥＤ
１１０４                                    実装基板
１１０５                                    拡散板
１１１１、１２１１                          ダイクロイックミラー
１２０２                                    選択反射器
１２０３                                    導光板
１２０４                                    反射ドット
【図１】
2011065010.tif 000003
【図２】
2011065010.tif 000004
【図３】
2011065010.tif 000005
【図４】
2011065010.tif 000006
【図５】
2011065010.tif 000007
【図６】
2011065010.tif 000008
【図７】
2011065010.tif 000009
【図８】
2011065010.tif 000010